(57)【要約】【課題】折り畳み型の携帯通信機器の操作筐体に収納される回路基板と表示筐体に収納される回路基板とに生じる電位差を抑制することによって内蔵アンテナの放射効率を向上させる。【解決手段】第１の回路基板４が収納される第１の筐体１と、第２の回路基板５が収納される第２の筐体２と、上記第１の筐体１と第２の筐体２とを連結するヒンジ部３と、上記第１の回路基板１と第２の回路基板２とを電気的に接続するフレキシブルなワイヤと、上記第２の回路基板２に設置されるアンテナ１０とを具備する折り畳み型の携帯通信機器であって、折り畳んだ際に、上記第１の回路基板４と上記第２の回路基板５は、互いの電位差を抑制するように電気的に接続される。【選択図】              図１
2004201180.tif 000002
【特許請求の範囲】
【請求項１】
第１の回路基板が収納される第１の筐体と、第２の回路基板が収納される第２の筐体と、前記第１の筐体と第２の筐体とを連結するヒンジ部と、前記第１の回路基板と第２の回路基板とを電気的に接続するフレキシブルなワイヤと、前記第２の回路基板に設置されるアンテナとを具備する折り畳み型の携帯通信機器であって、
折り畳んだ際に、前記第１の回路基板と前記第２の回路基板は、互いの電位差を抑制するように電気的に接続されることを特徴とする携帯通信機器。
【請求項２】
前記第１の回路基板から突出すると共に、前記第１の筐体に形成された穴から露出した導電性の複数の第１の接続部と、前記第２の回路基板から突出すると共に、前記第２の筐体に形成された穴から露出した導電性の複数の第２の接続部とを備え、折り畳んだ際に、第１の接続部と第２の接続部とが接触することによって、前記第１の回路基板と前記第２の回路基板は、互いの電位差を抑制するように電気的に接続されることを特徴とする請求項１記載の携帯通信機器。
【請求項３】
前記第１の接続部及び第２の接続部は、導電性ゴムによって形成されていることを特徴とする請求項２記載の携帯通信機器。
【請求項４】
前記第１の接続部と第２の接続部のどちらか一方は、導電性の円筒形状の筒体と、該筒体の内部に一端が収納されると共に、前記筒体から突出した他端が押圧されることによって、前記筒体の中心軸線方向に移動する導電性の棒状部材とを有し、
前記第１の接続部と第２の接続部のどちらか他方は、導電性の受部材であることを特徴とする請求項２記載の携帯通信機器。
【発明の詳細な説明】
【０００１】
【発明の属する技術分野】
本発明は、折り畳み型の携帯通信機器に関する。
【０００２】
【従来の技術】
従来、携帯電話には伸縮式の外部アンテナとしてヘリカルアンテナが用いられている。ところが、このようなヘリカルアンテナは外部に突出した形状のため、携帯電話を落下した際の耐衝撃性の低下や携帯通信機器の設計自由度の低下という問題を有している。そこで、上記問題を解決するために、現在、携帯電話の内部に、逆Ｆアンテナ等の内蔵アンテナを設置するという方法が採用されている。
【０００３】
【特許文献１】
特開平１１−１３６０１５号公報
【特許文献２】
特開平１１−１７７４８５号公報
【０００４】
【発明が解決しようとする課題】
ところが、このような方法をキーパッドやマイク等を備える操作筐体と液晶表示部やスピーカ等を備える表示筐体とがヒンジ部によって連結された折り畳み型の携帯電話に採用する際には、現実的に、操作筐体の内部に収納された回路基板あるいは表示筐体の内部に収納された回路基板のどちらか一方に上記内蔵アンテナが設置されている。アンテナが上記操作筐体に収納された回路基板と上記表示筐体に収納された回路基板とのどちらか一方に設置されていること及び上記操作筐体に収納された回路基板と上記表示筐体に収納された回路基板とがその一部を使用周波数においてハイインピーダンスである細い線路によって電気的に接続されていることによって、逆Ｆアンテナ等の不平衡型アンテナ動作時に地板に励起される放射電流の大部分は、アンテナが設置された回路基板にのみ励起されるため、結果として上記操作筐体に収納された回路基板と上記表示筐体に収納された回路基板とに流れる放射電流の差に起因する電位差が生じる。このような携帯電話を折り畳んだ状態にすると、上記操作筐体に収納された回路基板と上記表示筐体に収納された回路基板との間の放射電流の差に起因する電界が大きくなり、上記操作筐体に収納された回路基板と上記表示筐体に収納された回路基板との間に位置する各種デバイスは、上記電界中に配置された損失物体として振舞い、結果、上記内蔵アンテナの放射効率を悪化させるという問題点が生じる。また、上記内蔵アンテナは、ヘリカルアンテナに比べ各回路基板に励起される放射電流が大きいため、その影響が顕著となる。
【０００５】
本発明は、上述する問題点に鑑みてなされたもので、折り畳み型の携帯通信機器の操作筐体に収納される回路基板と表示筐体に収納される回路基板とに生じる電位差を抑制することによって内蔵アンテナの放射効率を向上させることを目的とする。
【０００６】
【課題を解決するための手段】
上記目的を達成するために、本発明では、第１の手段として、第１の回路基板が収納される第１の筐体と、第２の回路基板が収納される第２の筐体と、上記第１の筐体と第２の筐体とを連結するヒンジ部と、上記第１の回路基板と第２の回路基板とを電気的に接続するフレキシブルなワイヤと、上記第２の回路基板に設置されるアンテナとを具備する折り畳み型の携帯通信機器であって、折り畳んだ際に、上記第１の回路基板と上記第２の回路基板は、互いの電位差を抑制するように電気的に接続されるという構成を採用する。
【０００７】
第２の手段として、上記第１の手段において、上記第１の回路基板から突出すると共に、上記第１の筐体に形成された穴から露出した導電性の複数の第１の接続部と、上記第２の回路基板から突出すると共に、上記第２の筐体に形成された穴から露出した導電性の複数の第２の接続部とを備え、折り畳んだ際に、第１の接続部と第２の接続部とが接触することによって、上記第１の回路基板と上記第２の回路基板は、互いの電位差を抑制するように電気的に接続されるという構成を採用する。
【０００８】
第３の手段として、上記第２の手段において、上記第１の接続部及び第２の接続部は、導電性ゴムによって形成されているという構成を採用する。
【０００９】
第４の手段として、上記第２の手段において、上記第１の接続部と第２の接続部のどちらか一方は、導電性の円筒形状の筒体と、該筒体の内部に一端が収納されると共に、上記筒体から突出した他端が押圧されることによって、上記筒体の中心軸線方向に移動する導電性の棒状部材とを有し、上記第１の接続部と第２の接続部のどちらか他方は、導電性の受部材であるという構成を採用する。
【００１０】
【発明の実施の形態】
以下、図面を参照して、本発明に係る携帯通信機器の一実施形態について説明する。なお、以下の実施形態において、携帯通信機器は、携帯電話として説明する。
【００１１】
（第１実施形態）
図１は、本第１実施形態に係る携帯電話の開いた状態における全体の概略を示した図であり、（ａ）は正面図であり、（ｂ）は（ａ）のＡ−Ａ’における断面図である。この図において、符号１は表示筐体（第１の筐体）、２は操作筐体（第２の筐体）、３はヒンジ部、４は表示用回路基板（第１の回路基板）、５は操作・制御用回路基板（第２の回路基板）、６〜９は接続部（第１の接続部，第２の接続部）、１０はアンテナである。
【００１２】
表示筐体１は、樹脂が略直方体形に形状設定されたものであり、その内部に表示用回路基板４を収納するものである。この表示筐体１は、例えば液晶表示部が露出して設置される表部１Ａと、表示筐体１の裏側を構成する裏部１Ｂとから構成されている。図示するように、上記表部１Ａには、表示筐体１の外部と内部とを挿通状態にする所定形状の穴１ａ，１ｂが形成されている。この穴１ａ，１ｂは、ヒンジ部３の回転軸Ｌから所定の距離だけ離れるように表部１Ａの上記ヒンジ部３に対して遠方の一端である遠端１Ａ１近傍に各々形成されている。
【００１３】
操作筐体２は、上記表示筐体１と同様に、樹脂が略直方体形に形状設定されたものであり、その内部に操作・制御用回路基板５や電池（図示せず）を収納するものである。この操作筐体２は、例えばキーパッドが設置される表部２Ａと、操作筐体２の裏側を構成する裏部２Ｂとから構成されている。図示するように、上記表部１Ａには、操作筐体２の外部と内部とを挿通状態にする所定形状の穴２ａ，２ｂが形成されている。この穴２ａ，２ｂは、ヒンジ部３の回転軸Ｌから上記穴１ａ，１ｂと同一の距離だけ離れるように表部２Ａの上記ヒンジ部３に対して遠方の一端である遠端２Ａ１近傍に各々形成されている。
【００１４】
ヒンジ部３は、上記表示筐体１と上記操作筐体２とがヒンジ部３の回転軸Ｌを中心として回転移動できるように上記表示筐体１と上記操作筐体２とを連結するものである。
【００１５】
表示用回路基板４は、上記表示筐体１の内部全体に亘って収納される回路基板であり、例えば液晶表示部に画像を表示させるための回路である。図示するように、表示用回路基板４には、接続部６，７（第１の接続部）が設けられている。そして、この接続部６，７の先端部６ａ，７ａは、上記穴１ａ，１ｂから各々突出している。
【００１６】
操作・制御用回路基板５は、上記操作筐体２の内部全体に亘って収納される回路基板であり、例えばキーパッドに入力された操作指令を操作信号として各種デバイスに出力するための回路である。図示するように、操作・制御用回路基板５には、接続部８，９（第２の接続部）が設けられている。そして、この接続部８，９の先端部８ａ，９ａは、上記穴２ａ，２ｂから各々突出している。
【００１７】
上記表示用回路基板４の下端と操作・制御用回路基板５の上端とは、例えば、容易に形状変更可能なフイルムケーブル（図３参照）等の細い線路（フレキシブルなワイヤ）によって電気的に接続されている。
【００１８】
接続部６〜９は、導電性ゴムによって形成された略円筒形の部材であり、上記表示用回路基板４及び操作・制御用回路基板５の基板面に固定されている。また、上記先端部（接続部６〜９の上面部）６ａ〜９ａは、図２に示すように、上記穴１ａ，１ｂ，２ａ，２ｂから突出している。なお、図２においては、説明の便宜上、接続部６〜９の穴１ａ，１ｂ，２ａ，２ｂから突出している部分を強調してある。
【００１９】
アンテナ１０は、給電された給電電力を電波として外部に向けて放射すると共に、外部の電波を受信するものであり、図１に図示するように、上記操作・制御用回路基板５に設置されるものである。このアンテナ１０は、例えば、逆Ｆアンテナ等の内蔵アンテナである。
【００２０】
図３は、上述のように構成された携帯電話を折り畳んだ際における表示用回路基板４、操作・制御用回路基板５及び接続部６〜９の状態を示した図である。携帯電話を折り畳んだ状態では、接続部６の先端部６ａと接続部８の先端部８ａとが接触し、接続部７の先端部７ａと接続部９の先端部９ａとが接触している。
【００２１】
表示用回路基板４及び操作・制御用回路基板５は、アンテナ１０が操作・制御用回路基板５のみに配置されているため、信号源から各々異なる放射電流を励起されるが、上述したように接続部６の先端部６ａと接続部８の先端部８ａとが接触し、接続部７の先端部７ａと接続部９の先端部９ａとが接触している、すなわち、表示用回路基板４と操作・制御用回路基板５とが接続部６〜９によって、電気的に接続されているので、表示用回路基板４と操作・制御用回路基板５との電位差は抑制され、表示用回路基板４と操作・制御用回路基板５との間に発生する電界も抑制される。表示用回路基板４と操作・制御用回路基板５との間に位置する各種デバイスは、携帯電話の折り畳み時には上記電界中に配置された損失物体として振舞うが、上記電界が抑制される結果、上記各種デバイスによるアンテナ放射効率に寄与する電力損失は少なくなる。よって、信号源から出力された電気信号は、電力損失が少ない状態で、上記アンテナ１０に給電される。
【００２２】
すなわち、本第１実施形態に係る携帯電話によれば、表示用回路基板４と操作・制御用回路基板５とが、接続部６〜９によって、電気的に接続されているため、表示用回路基板４と操作・制御用回路基板５との電位差が抑制される。そして、表示用回路基板４と操作・制御用回路基板５との電位差が抑制されることによって、各種デバイスのアンテナ放射効率に寄与する電力損失量が大きくならないので、アンテナ１０の放射効率が向上する。
【００２３】
（第２実施形態）
図４は、本第２実施形態に係る携帯電話の開いた状態における全体の概略を示した図であり、（ａ）は正面図であり、（ｂ）は（ａ）のＡ−Ａ’における断面図である。
【００２４】
この図に示すように、表部１Ａには、表示筐体１の外部と内部とを挿通状態にする所定形状の穴１ｃ，１ｄがさらに形成されている。この穴１ｃ，１ｄは、表部１Ａのヒンジ部３に対して近傍の一端である近端１Ａ２近傍に各々形成されている。また、表部２Ａには、操作筐体２の外部と内部とを挿通状態にする所定形状の穴２ｃ，２ｄがさらに形成されている。この穴２ｃ，２ｄは、表部２Ａのヒンジ部３に対して近傍の一端である近端２Ａ２近傍に各々形成されている。
【００２５】
接続部１１〜１４は、上記第１実施形態における接続部６〜９と同一の導電性ゴムによって形成された略円筒形の部材である。これら接続部１１〜１４の内、接続部１１，１２は、それらの先端部１１ａ，１２ａが上記穴１ｃ，１ｄから各々突出するように上記表示用回路基板４に固定されている。また、接続部１１〜１４の内、接続部１３，１４は、それらの先端部１３ａ，１４ａが上記穴２ｃ，２ｄから各々突出するように上記操作・制御用回路基板５に固定されている。
【００２６】
携帯電話を折り畳んだ状態では、接続部６の先端部６ａと接続部８の先端部８ａとが接触し、接続部７の先端部７ａと接続部９の先端部９ａとが接触すると共に、接続部１１の先端部１１ａと接続部１３の先端部１３ａとが接触し、接続部１２の先端部１２ａと接続部１４の先端部１４ａとが接触する。そして、表示用回路基板４と操作・制御用回路基板５とが接続部６〜９，１１〜１４によって電気的に接続されることによって、表示用回路基板４と操作・制御用回路基板５との電位差が抑制される。
【００２７】
すなわち、本第２実施形態に係る携帯電話によれば、表示用回路基板４と操作・制御用回路基板５とが、接続部６〜９，１１〜１４によって、電気的に接続されているため、表示用回路基板４と操作・制御用回路基板５と電位差が第１実施形態における携帯電話よりもさらに抑制される。その結果、各種デバイスのアンテナ放射効率に寄与する電力損失量が大きくならないので、アンテナ１０の放射効率が向上する。
【００２８】
なお、本発明は上記第１または第２実施形態に限定されるものではなく、以下のような変形例も考えられる。
（１）上記第１及び第２実施形態における接続部６〜９及び第２実施形態における接続部１１〜１４は、導電性ゴムによって形成された略円筒形の部材であるとした。しかしながら、表示用回路基板４と操作・制御用回路基板５とが電気的に接続されていれば良く、例えば、図５にしめすように、接続部６，７，１１，１２と接続部８，９，１３，１４のどちらか一方は、導電性の円筒形状の筒体１５と、該筒体１５の内部に一端が収納されると共に、上記筒体１５から突出した他端が押圧されることによって、上記筒体１５の中心軸線方向に移動する導電性の棒状部材１６とを有し、接続部６，７，１１，１２と接続部８，９，１３，１４のどちらか他方は、導電性の受部材１７であるという構成を採用しても良い。
【００２９】
（２）上記第１及び第２実施形態において、アンテナ１０は、操作・制御用回路基板５の上部に設置された。しかしながら、これに限定されるものでなく、例えば、表示用回路基板４上に設置されても良い。
【００３０】
（３）上記第１及び第２実施形態において、アンテナ１０の発信時における説明とした。しかしながら、受信時においても上記表示用回路基板４と操作・制御用回路基板５との電位差は抑制されているため、受信効率も向上させることができる。
【００３１】
（４）上記第１実施形態において、接続部６〜９の先端部６ａ〜９ａを各々穴１ａ，１ｂ，２ａ，２ｂから突出させ、上記第２実施形態において、接続部１１〜１４の先端部１１ａ〜１４ａを各々穴１ｃ，１ｄ，２ｃ，２ｄから突出させた。しかしながら、携帯電話を折り畳んだ際に、上記上記表示用回路基板４と操作・制御用回路基板５とが電気的に接続されていれば良く、先端部６ａ〜９ａ，１１ａ〜１４ａを必ずしも穴１ａ〜１ｄ，２ａ〜２ｄから突出させなくとも良い。
【００３２】
【発明の効果】
以上説明したように、第１の回路基板が収納される第１の筐体と、第２の回路基板が収納される第２の筐体と、上記第１の筐体と第２の筐体とを連結するヒンジ部と、上記第１の回路基板と第２の回路基板とを電気的に接続するフレキシブルなワイヤと、上記第２の回路基板に設置されるアンテナとを具備する折り畳み型の携帯通信機器であって、折り畳んだ際に、上記第１の回路基板と上記第２の回路基板は、互いの電位差を抑制するように電気的に接続内蔵アンテナの放射効率を向上させることが可能となる。
【図面の簡単な説明】
【図１】本第１実施形態に係る携帯電話の開いた状態における全体の概略を示した図であり、（ａ）は正面図であり、（ｂ）は（ａ）のＡ−Ａ’における断面図である。
【図２】本第１実施形態に係る携帯電話における接続部６〜９の構成を説明するための図である。
【図３】携帯電話を折り畳んだ際における表示用回路基板４、操作・制御用回路基板５及び接続部６〜９の状態を示した図である。
【図４】本第２実施形態に係る携帯電話の開いた状態における全体の概略を示した図であり、（ａ）は正面図であり、（ｂ）は（ａ）のＡ−Ａ’における断面図である。
【図５】本第１及び第２実施形態における接続部６〜９，１１〜１４の変形例を説明するための図である。
【符号の説明】
１……表示筐体
２……操作筐体
３……ヒンジ部
４……表示用回路基板（第１の回路基板）
５……操作・制御用回路基板（第２の回路基板）
６〜９，１１〜１４……接続部（第１の接続部，第２の接続部）
１０……アンテナ
【図１】
2004201180.tif 000003
【図２】
2004201180.tif 000004
【図３】
2004201180.tif 000005
【図４】
2004201180.tif 000006
【図５】
2004201180.tif 000007